【事件の表示】
　平成　２年特許願第２１９１０３号「表示制御装置および方法」拒絶査定に対する審判事件［平成　４年　４月　３日出願公開、特開平　４−１０２１１９］について、次のとおり審決する。
【結　論】
　本件審判の請求は、成り立たない。
【理　由】
【１】本願発明
　本願は、平成２年８月２２日に特許出願されたものであって、その請求項１乃至２に係る発明は、平成９年８月２２日付け、平成１３年６月５日付け及び平成１４年１月２３日付け手続補正書によって補正された明細書及び図面の記載からみて、その特許請求の範囲の請求項１乃至２に記載された「表示制御装置および方法」にあるものと認められるところ、当該請求項１に記載された発明（以下「本願発明」という。）は、次のとおりのものである。
「【請求項１】　機能
を示す項目
　所定の前記機能を選択するときに操作される機能選択手段と、
　前記機能選択手段によって
前記所定の機能が選択された場合
所定の
複数の
　前記機能表示制御手段によって表示が制御されている前記
所定の
複数の
ときに操作される
　前記機能表示制御手段によって前記
所定の
複数の
所定の
複数の
所定の
示す複数の項目
、
前記機能表示制御手段によって
所定の
複数の
初期説明表示制御手段と
を備える
【２】引用刊行物
 (1)当審における平成１３年１１月２７日付け拒絶の理由に引用した特開昭１ー１２３２８７号公報（以下「刊行物１」という。）には、その実施例及び図面とこれに係わる記載を参酌すると、以下のとおりの技術的事項が記載されている。
 (1-1)「第2図はこの発明の一実施例のワードプロセッサで、10はアルファベット／カナ（文字）キーとファンクションキーとを備えるキーボード、11はドットマトリクス型液晶表示器などの表示ユニット、12は作成された文章などを印字するプリンター、13はキーボードから離れた位置に独立して設けられるヘルプキーである。
　第3図はこの実施例の構成を示すブロック図で、14はキー入力セレクト処理ユニットで、キーボード10から入力される文字列（データ）およびファンクション信号をどのように処理すればよいか判別し、入力された文字列およびファンクション信号をファンクション処理ユニット15、かな漢字変換処理ユニット16、状態判定処理ユニット17ａのいずれかに転送する。ファンクション処理ユニット15はキーボード10に定義されている編集処理機能（たとえば右ヅメ、センタリング、複写や印字など）を実行するユニット、かな漢字変換処理ユニット16は転送されてくるかななどの文字列をかな漢字混じりの文字列に変換するユニット、状態判定処理ユニット17ａはヘルプモードの処理を動作させるために、文字列が入力されたその時の入力状態を常時モニタしているユニットで、キー入力セレクト処理ユニット14から送られるヘルプキー13が操作された際に発するヘルプ信号により起動される。17ｂは編集処理ユニットで、かな漢字混じりの文字列を編集処理し、文章メモリ18に格納する。文章メモリ18に格納された文字列は、編集処理文章メモリ展開処理ユニット19にて表示のためのビットイメージデータに変換されてイメージバッファ20に格納される。イメージバッファ20に格納されたビットイメージデータは、バッファ切換ユニット21を介してディスプレイバッファ22に格納され、表示ユニット12に順次表示される。23はヘルプメモリユニットで、あるファンクション処理の選択画面の場合（状態ヘルプ）、現行処理では受けつけられない文字列およびファンクション信号が送られた場合（エラーヘルプ）、通常のかな漢字変換入力処理状態でヘルプ信号が発せられ、これに引き続き、キーボード10に定義されたファンクション信号が送られた場合（キー説明ヘルプ）、通常のかな漢字変換入力処理状態で、ヘルプ信号に引き続きさらにヘルプ信号が発せられた場合（用語説明ヘルプ）のそれぞれに対応する説明文（メッセージ）を記憶している。ヘルプメモリユニット23に記憶されたそれぞれの説明文は、それぞれの場合にヘルプモードが起動された際に、ヘルプデータ展開処理ユニット24にて読み出されてビットイメージデータに展開されイメージバッファ25に格納される。イメージバッファ25に格納されたビッドイメージデータは、バッファ切換ユニット21、ディスプレイバッファ22を介して表示ユニット12にて表示される。」（第2頁左下欄第18行〜第3頁右上欄第11行、第2、3図参照）
 (1-2)「第4図はこの実施例の動作を示すフローチャートである。最初に上記の状態ヘルプの場合の動作について説明する。使用者が所望の文章を入力している途中で、文書入力モードからファンクションモードに切り換えられる場合（ステップ100,101）、その時に必要なあるファンクションキーが操作されてファンクションモードとなる。つぎにこの状態で受け付け可能なキーが操作されたかどうかが判定される（ステップ102）。ファンクションモードに切り換えられたことは、状態判定処理ユニット17aにて検出され、状態判定処理ユニット17aはヘルプ信号の入力の持ち状態となる。この状態でへルプキー13が操作されると（ステップ103）、ヘルプ信号が状態判定処理ユニット17aに入力され、ヘルプメモリユニット23より操作されたファンクションキーに対応する状態説明メッセージが読み出され、その状態説明メッセージがヘルプデータ展開処理ユニット24にて処理され、イメージバッファ25に格納されたのちパッファ切換ユニット21を介してディスプレイバッファ22に転送される。ディスプレイバッファ22に格納されたビットイメージデータは表示ユニット12に順次表示される（ステップ104）。表示される状態説明メッセージは、操作されたファンクションキーの機能、いいかえればどのファンクション機能が選択された状態なのかを説明する文章と、状態説明メッセージが表示されている状態で実行可能なキーおよびそのキーの機能の説明文とで構成されている。第5図Ａに示すものは、「印字」のファンクションキーが操作され印字の選択画面において、通常印字が選択された場合に、ヘルプキー13が操作されることにより表示される状態説明メッセージの例文を示す表示画面である。同様にして、第5図ＢおよびＣは、印字の選択画面において定型印字および一行印字がそれぞれ選択されている状態での状態説明メッセージの例文を示す表示画面である。そして状態説明メッセージが表示されている状態で、状態説明メッセージに示される実行可能なキー（第5図Ａ〜Ｃに示すものでは、実行キー、解除キーおよびカーソル移動キ一）が操作されたか否かが判断され（ステップ105）、実行可能なキーならばそのキーの機能が実行される。つまり実行可能なキーが、実行キーならばその状態でのファンクション機能が、解除キーならはへルプモードおよびファンクシションモ一ドの解除が、カーソル移動キーならば次の項目への力ーソル移動がそれぞれ実行される。ステップ105で実行可能なキーが操作されずに、さらにへルプキー13が操作されるならば（ステップ106）、ファンクションモードの初期状態に戻ってキー入力持ちの状態になる。
　また上記「印字」のファンクションキーが操作され、第6図Ａに示す印字設定画面においてヘルプキー13が操作された場合には、ステップ104で第6図Ｂに示す状態説明メッセージが表示される。第6図Ａに示す印字設定画面において、カーソル26が印字開始頁指定の位置にあるので、状態説明メッセージにおいては、実行可能なキーとして数字キーと実行キーとが示される。この状態において、使用者はただちに印字を実行するのであれば実行キーを、また、印字開始行の設定入力ならば数字キーを操作すればよく、これら実行可能なキーでなく、印字設定画面における2番目以降の項目を設定したいのであれば再度へルプキー13を操作すれば印字設定画面に戻ることができる。このように、状態ヘルプの画面表示から抜け出る方法として、その画面表示に示される実行可能なキーを操作するかヘルプキー13を操作するかの2通りの方法を備えている。
　上記ステップ103にてヘルプキーが操作されない場合は、実行キーが操作されたかどうかが判断され（ステップ107）、実行キーの操作ならばファンクション処理を実行し、実行キーの操作でなく解除キーが操作されたのであれば（ステップ108）、ファンクションモードを解除して初期状態に戻る。」（第3頁右上欄第19行〜第4頁右上欄第15行、第4〜6図参照）
 (1-3)「つぎにヘルプモードの機能および用語説明の動作について説明する。文書入力モードにおいて、ステップ109の判断ののちヘルプキー13が操作されたかどうかの判断が2度おこなわれる（ステップ116，117）。つまり、ヘルプキー13が連続して2度操作されたならば、第8図に示すような、ヘルプモード選択画面表示に切り換わる（ステップ118）。このヘルプモード選画面表示において、力ーソル移動キーにて「ヘルプキーの説明」の表示にカーソル26を移動させ実行キーを操作すると（ステップ119）、第9図Ａ，Ｂ，Ｃに示すようなヘルプ機能説明メッセージが表示ユニット12に表示される（ステップ120）。へルプ機能説明メッセージは、どのような場合にヘルプキーを操作すればよいかを説明する文章であり、第9図Ａ，Ｂ，Ｃに示す3つの場合のヘルプ機能の説明をおこなっている。「へルプキーの説明」を選択すると最初に第9図Ａの画面表示がなされ、この後カーソル移動キーを操作することにより順次表示ユニット12には画面がスクロールされて第9図ＢおよびＣに示す内容が表示される。そしてステップ120につづいて解除キーが操作されたかどうかが判断され（ステップ121）、解除キーが操作されたならば文章入力モードにおいて次のキー入力の持ち状態となる。
　用語説明の動作を以下に説明する。
　まずステップ118で表示されているヘルプモード選択画面において、力ーソル26を力ーソル移動キーにて「用語の説明」の表示に移動させ実行キーを操作する。これによって用語説明メッセージの表示画面となる（ステップ122）。用語説明メッセージの表示画面は、第10図Ａ，Ｂ，Ｃに示すように、用語説明の索引検索画面と、索引検索画面にて選択された用語の頭文字のある行に含まれる用語の索引選択画面と、索引選択画面にて選択された用語の機能および操作法を説明する説明画面にて構成にされる。索引検索画面では、用語の頭文字をたとえばあ，か，さ，た，な……というように表示しており、カーソル移動キーを操作して所望の文字の表示に力ーソル26を移動させて検索をおこない実行キーを操作すると、索引選択画面に切り換わる。ここであ行が選択されたものとする。つぎに索引選択画面で所望の用語の表示にカーソル26を力ーソル移動キーを操作して移動させて実行キーを操作すると、説明画面に切り換り所望の用語の説明文が表示される。ここでは「宛名印字」が選択されたものとし、その場合の索引選択画面および説明画面の一例を第10図Ｂおよび第10図Ｃに示す。そしてステップ122につづいて解除キーが操作されたかどうかが判断され（ステップ123）、解除キーが操作されたならば文書入力モードにおいて次のキー入力の待ち状態となる。」（第4頁右下欄第19行〜第5頁左下欄第12行、第4、8〜10図参照）
 (2)同じく引用した特開平２ー１３５５１５号公報（以下「刊行物２」という。）には、機能の詳細な説明に関する説明情報（ヘルプメッセージ）を保持する説明情報保持手段（ハードディスク13）を備え、説明表示指示手段（ヘルプキー）の指示を受けたときに、前記説明情報を、前記説明情報保持手段から検索して表示するようにした表示制御装置（文書編集装置）に係るものであって、「前記説明情報保持手段（ハードディスク13）に、前記説明情報を、各機能毎に階層構造で保持する」ようにすることが記載されている。
 (3)同じく引用した特開昭６２ー１８６３１７号公報（以下「刊行物３」という。）には、コマンドメニューエリア(21)として所定の機能を示す複数の項目が表示され、機能の詳細な説明に関する説明情報（ヘルプメッセージ）を保持する説明情報保持手段（ヘルプメッセージ記憶装置16）を備え、説明表示指示手段（カーソル）の指示を受けたときに、前記説明情報を、前記説明情報保持手段から検索して表示するようにした表示制御装置（情報処理装置）に係るものであって、「前記説明情報を、前記機能の複数の項目（コマンド要素）の表示状態を保持したままで、検索、表示する」ことが記載されている。
【３】対比・判断
（対比）
　本願発明と前記刊行物１に記載された発明とを対比すると、刊行物１における「状態説明メッセージ」「ヘルプメモリユニット(23)」「ファンクションキー」「印字の選択画面の表示手段に係わる表示制御手段(6)」「ヘルプキー(13)」及び「ヘルプデータ展開処理ユニット(24)、ヘルプモード選択画面のためのステップ(118等)に係わる表示制御手段(6)」は、それぞれ本願発明における「機能の詳細な説明に関する説明情報」「説明情報保持手段」「機能選択手段」「機能表示制御手段」「説明表示指示手段」及び「説明表示制御手段及び初期説明表示制御手段」に相当する。また、刊行物１における「印字」に際しての選択画面の「通常印字」「定型印字」「一行印字」のそれぞれは、本願発明における「項目」にそれぞれ相当するものであるから、該刊行物１には「所定の機能を示す複数の項目」が開示されているものと認められる。
　したがって、両者は、以下のとおりの一致点及び相違点を有するものと認められる。
（一致点）
「機能を示す項目の詳細な説明に関する説明情報を保持する説明情報保持手段と、
　所定の前記機能を選択するときに操作される機能選択手段と、
　前記機能選択手段によって前記所定の機能が選択された場合、前記所定の機能を示す項目の表示を制御する機能表示制御手段と、
　前記機能表示制御手段によって表示が制御されている前記所定の機能を示す項目に対応する前記説明情報の表示を指示するときに操作される説明表示指示手段と、
　前記機能表示制御手段によって所定の機能を示す項目の表示が制御されている状態で前記説明表示指示手段による指示を受けたとき、前記所定の機能を示す項目に対応する前記説明情報を前記説明情報保持手段から検索し、検索された前記説明情報の表示を制御する説明表示制御手段、
　前記機能表示制御手段によって前記所定の機能を示す項目の表示が制御されていない状態で前記説明表示指示手段による指示を受けたとき、予め設定されている初期説明情報の表示を制御する初期説明表示制御手段と
　を備える表示制御装置。」
（相違点）
(i)本願発明にあっては、機能の詳細な説明に関する説明情報を、各機能毎に階層構造で保持するようにしているのに対して、刊行物１にあっては、このようにしていない点、
(ii)本願発明にあっては、項目が複数の項目として表示されるものであり、所定の機能を示す複数の項目の表示状態を保持したままで、検索された説明情報の表示を制御するようにしているのに対して、刊行物１にあっては、このようにしていない点、
（検討）
　上記相違点(i)(ii)について、以下に検討する。
　相違点(i)について、前記刊行物２には、機能の詳細な説明に関する説明情報（ヘルプメッセージ）を保持する説明情報保持手段（ハードディスク13）を備え、説明表示指示手段（ヘルプキー）の指示を受けたときに、前記説明情報を、前記説明情報保持手段から検索して表示するようにした表示制御装置（文書編集装置）に係るもので、「前記説明情報保持手段（ハードディスク13）に、前記説明情報を、各機能毎に階層構造で保持する」ようにすることが記載されており、前記刊行物１に記載のものにおいても、説明情報保持手段（ヘルプメモリユニット23）に前記説明情報を保持するものであるから、この保持を前記したような刊行物２に記載の技術的事項を採用して、「各機能毎に階層構造で保持する」ような本願発明の構成となすことは当業者が容易になし得ることと認められる。
　相違点(ii)について、所定の機能を示す項目を「複数の項目」として表示する（すなわち、複数の項目の表示を制御する）ことは周知の技術的事項であり、例えば、前記刊行物３にもコマンドメニューエリア(21)として所定の機能を示す複数の項目を表示する技術的事項が開示されており、さらに、該刊行物３には、機能の詳細な説明に関する説明情報（ヘルプメッセージ）を保持する説明情報保持手段（ヘルプメッセージ記憶装置16）を備え、説明表示指示手段（カーソル）の指示を受けたときに、前記説明情報を、前記説明情報保持手段から検索して表示するようにした表示制御装置（情報処理装置）に係るもので、「前記説明情報を、前記機能の複数の項目（コマンド要素）の表示状態を保持したままで、検索、表示する」ことが記載されているので、説明情報の検索、表示にあたって、刊行物３に記載のような所定の機能を示す複数の項目が表示され、「前記機能の複数の項目（コマンド要素）の表示状態を保持したまま」で行う技術的事項を採用して本願発明のように構成することは当業者が容易になし得ることと認められる。
　また、本願発明のように構成することによる作用効果も格別のものとは認められない。
【４】むすび
　以上のとおりであって、本願の特許請求の範囲の請求項１に係る発明は、前記引用例１乃至３に記載された発明に基づいて当業者が容易に発明をすることができたものと認められるので、特許法第２９条第２項の規定により特許を受けることができない。
　したがって、本願は、その余の請求項について論及するまでもなく、拒絶すべきものである。
　よって、結論のとおり審決する。